(57)【要約】【課題】トナーなどの記録材の消費を抑制することができる画像形成装置、および画像形成装置の制御方法を提供すること。【解決手段】複合機１は、スキャナユニット１０と、プリンタユニット２０と、電源供給装置３０と、電源スイッチ４０と、を備えている。スキャナユニット１０内部のコントローラ１４は、電源スイッチ４０への操作により電源が投入されたときに、プリンタユニット２０を待機させ、スキャナユニット１０を起動させる。そして、プリンタユニット２０が待機した状態において、ホストコンピュータ２から印刷データを受信すると、プリンタユニット２０を起動させ、濃度調整を実行させることにより印刷可能な状態とする。電源投入時にトナー消費を伴う濃度調整が行われないので、電源投入時のトナー消費が抑制される。【選択図】図１
2009163087.tif 000002
【特許請求の範囲】
【請求項１】
記録材を用いて画像を形成する画像形成装置であって、
印刷データの入力を受けるための入力部と、
起動時に前記記録材の消費を伴う濃度調整を実行する画像形成部と、
電源の投入操作を受ける電源操作部と、
前記電源操作部への操作により電源が投入された場合、前記画像形成部を待機させ、前記画像形成部が待機した状態において前記印刷データが入力される場合に、前記画像形成部を起動させることにより、前記画像形成部を、調整された濃度の画像を形成可能な状態に制御する制御部と、を備えることを特徴とする画像形成装置。
【請求項２】
請求項１に記載の画像形成装置において、
前記制御部は、前記電源操作部への操作により電源が投入された場合に、前記記録材の消費を抑制するための抑制モードが有効に設定されていれば、前記画像形成部を待機状態に制御し、前記抑制モードが無効に設定されていれば、前記画像形成部を起動させることを特徴とする画像形成装置。
【請求項３】
請求項１または２に記載の画像形成装置において、
待機状態の前記画像形成部は、起動した状態に比べて電力消費を抑えた状態に制御されることを特徴とする画像形成装置。
【請求項４】
請求項１ないし３のいずれか一項に記載の画像形成装置において、
原稿を読み取るための読取部と、
ファクシミリ通信を行うためのファクシミリ送受信部と、をさらに備え、
前記制御部は、前記電源操作部への操作により電源が投入されたときに、前記画像形成部を待機させる一方で、前記読取部および前記ファクシミリ送受信部を起動させることを特徴とする画像形成装置。
【請求項５】
印刷データの入力を受けるための入力部と、
起動時に記録材の消費を伴う濃度調整を実行する画像形成部と、
電源の投入操作を受ける電源操作部と、を備える画像形成装置の制御方法であって、
前記電源操作部への操作により電源が投入された場合、前記画像形成部を待機させ、前記画像形成部が待機した状態において前記印刷データが入力される場合に、前記画像形成部を起動させることにより、調整された濃度の画像を形成可能な状態に前記画像形成部を制御することを特徴とする画像形成装置の制御方法。
【発明の詳細な説明】
【技術分野】
【０００１】
本発明は、トナーなどの記録材を用いて画像を形成する画像形成装置、および画像形成装置の制御方法に関する。
【背景技術】
【０００２】
従来、電子写真方式のプリンタ部に、スキャナ機能、ファクシミリ通信機能、ネットワークデータ送受信機能などを備えた複合機が広く用いられている。かかる複合機では、プリンタ部、スキャナ部、ファクシミリ通信部などの複数の機能部が起動した状態では、消費電力が大きくなってしまうことがあり、特に、電子写真方式のプリンタ部では、定着器の加熱に要する消費電力が大きい。そこで、特許文献１には、ファクシミリ送信またはネットワークデータ送受信など、プリンタ部によるプリント動作が必要でない場合、電源投入時に、プリンタ部の定着器の定着温度までの加熱を行わないよう加熱条件を設定することによって電力消費を抑制する技術が開示されている。
【０００３】
また、特許文献２には、電源投入時や、所定枚数の印刷処理が実施された時や、感光体ドラムまたはトナーカートリッジを交換した時などに、感光体ドラム上にトナー像を形成し、トナー像の濃度を用いた濃度調整を行うことにより、電子写真方式のプリンタ部を、常に良好な画像濃度での画像出力を行うことが可能な状態とする技術が開示されている。
【０００４】
【特許文献１】特開２００５−１５６６２４号公報
【特許文献２】特開２００６−３０５１４号公報（第７ページ、段落（００３１）、および第８ページ、段落（００３５）〜（００３８）参照）
【発明の開示】
【発明が解決しようとする課題】
【０００５】
しかしながら、特許文献１に記載の技術では、電源投入時に、定着器への加熱を行うことがなくともプリンタ部は起動されるので、プリンタ部を良好な濃度での画像出力を可能な状態にするためには、特許文献２に記載の濃度調整を実行する必要があった。このため、特許文献１，２に記載の技術では、プリント動作を必要としない場合であっても、電源投入時の濃度調整によってトナーを無駄に消費してしまうという課題があった。
【０００６】
また、トナー消費量を抑制するためのトナーセーブモードが有効に設定されている場合、電源投入時に濃度調整を行うと、トナーの消費量を抑制しようとトナーセーブモードを有効に設定したユーザーの意図に反して、電源投入時にトナーを無駄に消費してしまうこととなっていた。
【課題を解決するための手段】
【０００７】
本発明は、上述の課題の少なくとも一部を解決するためになされたものであり、以下の形態または適用例として実現することが可能である。
【０００８】
［適用例１］記録材を用いて画像を形成する画像形成装置であって、印刷データの入力を受けるための入力部と、起動時に前記記録材の消費を伴う濃度調整を実行する画像形成部と、電源の投入操作を受ける電源操作部と、前記電源操作部への操作により電源が投入された場合、前記画像形成部を待機させ、前記画像形成部が待機した状態において前記印刷データが入力される場合に、前記画像形成部を起動させることにより、前記画像形成部を、調整された濃度の画像を形成可能な状態に制御する制御部と、を備えることを特徴とする画像形成装置。
【０００９】
この構成によれば、電源投入時には画像形成部は待機状態となって濃度調整が実行されることがなく、印刷データが入力される場合に記録材の消費を伴う濃度調整が実行されるので、電源投入時における記録材の消費を抑制することができる。
【００１０】
［適用例２］上記画像形成装置において、前記制御部は、前記電源操作部への操作により電源が投入された場合に、前記記録材の消費を抑制するための抑制モードが有効に設定されていれば、前記画像形成部を待機状態に制御し、前記抑制モードが無効に設定されていれば、前記画像形成部を起動させることを特徴とする画像形成装置。
【００１１】
この構成によれば、消耗品の消費を抑制するための抑制モードが有効に設定されている場合に、電源投入時における記録材の消費が抑制され、抑制モードが無効に設定されている場合には、電源投入時において記録材の消費を伴う濃度調整が実行されるので、消耗品の消費を抑制しようとする抑制モードの設定に応じて、電源投入時における記録材の消費を適宜抑制することができる。
【００１２】
［適用例３］上記画像形成装置において、待機状態の前記画像形成部は、起動した状態に比べて電力消費を抑えた状態に制御されることを特徴とする画像形成装置。
【００１３】
この構成によれば、電源を投入してから印刷データの入力を受けるまでの間については、画像形成部が待機状態となって電力消費が抑えられるので、画像形成装置としての電力消費を抑制することができる。
【００１４】
［適用例４］上記画像形成装置において、原稿を読み取るための読取部と、ファクシミリ通信を行うためのファクシミリ送受信部と、をさらに備え、前記制御部は、前記電源操作部への操作により電源が投入されたときに、前記画像形成部を待機させる一方で、前記読取部および前記ファクシミリ送受信部を起動させることを特徴とする画像形成装置。
【００１５】
この構成によれば、電源が投入された場合に、画像形成部は待機状態であっても読取部およびファクシミリ送受信部は起動されるので、電源投入時のトナー消費を抑制しながら原稿の読取およびファクシミリ送信が可能な状態とすることができる。これにより、例えば、画像形成部による印刷機能が利用される機会が少なく、原稿の読取機能やファクシミリ送信機能が多く使用される使用環境において、印刷機能の利用回数が少ないにも関わらずにトナー消費が増大してしまうことを防ぐことができる。
【００１６】
［適用例５］印刷データの入力を受けるための入力部と、起動時に記録材の消費を伴う濃度調整を実行する画像形成部と、電源の投入操作を受ける電源操作部と、を備える画像形成装置の制御方法であって、前記電源操作部への操作により電源が投入された場合、前記画像形成部を待機させ、前記画像形成部が待機した状態において前記印刷データが入力される場合に、前記画像形成部を起動させることにより、調整された濃度の画像を形成可能な状態に前記画像形成部を制御することを特徴とする画像形成装置の制御方法。
【００１７】
このようにすれば、電源投入時には画像形成部は待機状態となって濃度調整が実行されることがなく、印刷データを受信した場合に記録材の消費を伴う濃度調整が実行されるので、電源投入時における記録材の消費を抑制することができる。
【発明を実施するための最良の形態】
【００１８】
以下、本発明の実施の形態について、実施例に基づいて説明する。
【００１９】
図１は、本実施例に係る複合機の構成を示したブロック図である。図１に示すように、複合機（画像形成装置）１は、スキャナユニット１０と、プリンタユニット（画像形成部）２０と、電源供給装置３０と、電源スイッチ（電源操作部）４０と、を備えている。
【００２０】
まず、スキャナユニット１０について説明する。スキャナユニット１０は、スキャナ部（読取部）１１と、ファクシミリ送受信部１２と、操作パネル１３と、これらスキャナユニット１０の各構成およびプリンタユニット２０を制御するコントローラ（制御部）１４と、を備えている。すなわち、本実施例の複合機１は、複合機１の動作を制御するコントローラ１４が、スキャナユニット１０に搭載された構成となっている。
【００２１】
スキャナ部１１は、原稿を読み取るスキャナ機能を司る部分であり、原稿が載置される原稿台、ＣＣＤなどの受像素子を搭載したキャリッジ、およびキャリッジを原稿台に沿って走査させる走査機構、光源ランプ（図示なし）などから構成されている。スキャナ部１１は、コントローラ１４からの制御に応じて、走査機構がキャリッジを原稿台に沿って走査させ、キャリッジのＣＣＤが原稿台に載置された原稿を読み取ることにより、原稿の読み取りを行う。
【００２２】
ファクシミリ送受信部１２は、公衆電話回線を介して他のファクシミリ装置（図示なし）と接続され、公衆電話網と接続するためのＮＣＵ（Network Control Unit）、および送受信データの変復調を行うモデムとしての機能を有しており、所定のプロトコル制御に従って、他のファクシミリ装置とファクシミリデータの送受信を行う。
【００２３】
操作パネル１３は、複合機１に対する設定変更などを行うための各種画面を表示するためのＬＣＤなどの表示部およびユーザー操作の入力を受けるための操作スイッチを有している。
【００２４】
コントローラ１４は、複合機１全体の動作を制御する部分であり、ＣＰＵ１４０と、ＲＯＭ１４１と、ＲＡＭ１４２と、通信Ｉ／Ｆ１４３と、印刷Ｉ／Ｆ１４４と、内部Ｉ／Ｆ１４５と、を備えている。
【００２５】
通信Ｉ／Ｆ１４３は、ホストコンピュータ２とデータ通信可能に接続するインターフェイス、印刷Ｉ／Ｆ１４４は、プリンタユニット２０に接続するインターフェイスである。また、内部Ｉ／Ｆ１４５は、スキャナユニット１０内部の操作パネル１３、ファクシミリ送受信部１２、およびスキャナ部１１に接続するインターフェイスである。
【００２６】
ＲＯＭ１４１には、複合機１の動作を制御するための制御プログラムが記憶されている。ＲＡＭ１４２は、受信バッファやワーキングメモリなどとして用いられる。ＣＰＵ１４０は、コントローラ１４の主制御装置であり、ＲＯＭ１４１に記憶されたプログラムをＲＡＭ１４２を用いて実行することにより、内部Ｉ／Ｆ１４５を介して操作パネル１３、ファクシミリ送受信部１２、スキャナ部１１を制御するとともに、印刷Ｉ／Ｆ１４４を介してプリンタユニット２０の動作を制御する。
【００２７】
また、コントローラ１４は、トナーセーブモード（抑制モード）に従う制御を行う。トナーセーブモードは、印刷により消費されるトナー消費量を抑えるための設定であり、トナーセーブモードの設定は、ユーザーが操作パネル１３を操作する指示入力、または、ホストコンピュータ２に備わるキーボードやマウスを操作してプリンタドライバに対して行う指示入力に従って、有効または無効に設定される。トナーセーブモードが有効に設定されている場合、コントローラ１４は、トナーセーブモードが無効に設定されている場合に比べて印刷濃度を低めた印刷を行うようプリンタユニット２０を制御する。
【００２８】
次に、プリンタユニット２０の構成について説明する。プリンタユニット２０は、プリントエンジン２１と、エンジン制御部２２とを有している。プリントエンジン２１は、電子写真方式の画像形成を行う部分であり、図２に示すように、感光体ドラム２１０と、帯電ユニット２１１と、露光ユニット２１２と、現像ユニット２１３と、一次転写ユニット２１４と、中間転写体２１５と、二次転写ユニット２１６と、定着ユニット２１７とを備えている。
【００２９】
感光体ドラム２１０は、潜像を担持するための像担持体であり、円筒状の導電性基材とその外周面に形成された感光層を有しており、中心軸に対して回転可能に構成されている。印刷時には、帯電ユニット２１１は、感光体ドラム２１０の表面を帯電し、露光ユニット２１２は、内蔵するレーザやＬＥＤアレイなどの光源からのビームを帯電された感光体ドラム２１０に照射する。露光ユニット２１２からのビーム照射は、コントローラ１４から入力される画像信号に従って制御され、これにより感光体ドラム２１０表面に静電潜像が形成される。
【００３０】
現像ユニット２１３は、記録材であるトナーを収容するトナーカートリッジ２１８がそれぞれ着脱可能に装着される装着部２１３ａ〜２１３ｄを有し、回転軸２１３ｅに対して回転可能な現像ロータリーである。現像ユニット２１３の装着部２１３ａ〜２１３ｄには、それぞれ、ブラックＫ、イエローＹ、マゼンタＭ、シアンＣのトナーを収容するトナーカートリッジ２１８ａ〜２１８ｄが装着される。現像ユニット２１３が回転することにより必要なトナーカートリッジ２１８が感光体ドラム２１０に近接し、現像ローラ２１８ｅに印加される現像バイアスにより、感光体ドラム２１０表面に形成された潜像に現像材であるトナーが供給されることで静電潜像が現像される。これにより、当該トナー色の単色画像が感光体ドラム２１０上に形成される。
【００３１】
一次転写ユニット２１４は、感光体ドラム２１０上の単色画像を、感光体ドラム２１０と同じ周速度で回転駆動された中間転写体２１５に転写する。カラー印刷時には、一次転写ユニット２１４は、現像ユニット２１３が現像したＣＭＹＫ各色の単色画像を中間転写体２１５表面に重ね合わせて転写することにより、ＣＭＹＫそれぞれの単色画像が重畳したカラー画像が中間転写体２１５表面に形成される。そして、二次転写ユニット２１６が、中間転写体２１５に形成されたカラー画像を用紙などの印刷媒体に転写し、定着ユニット２１７が、印刷媒体上に転写されたカラー画像を印刷媒体に溶着して永久像とすることでプリンタユニット２０による印刷が行われる。
【００３２】
エンジン制御部２２は、ＣＰＵ、ＲＯＭ、ＲＡＭなどを備えており、これらによりプリントエンジン２１の動作を制御する。具体的には、コントローラ１４からの指示に従って、プリントエンジン２１に印刷を実行させる制御や、プリンタユニット２０の電源投入時や所定枚数の印刷が行われた時点、トナーカートリッジや感光体ドラムが交換された後のタイミングで、プリントエンジン２１に後述する濃度調整を行わせる制御を行う。
【００３３】
電源供給装置３０は、スキャナユニット１０およびプリンタユニット２０に電力を供給する装置であり、電源スイッチ４０への操作に応じて電力供給を制御する。すなわち、ユーザーにより電源スイッチ４０に対して所定の電源投入動作が行われると、電源供給装置３０は、スキャナユニット１０およびプリンタユニット２０への電力供給を開始する。
【００３４】
次に、電源投入時に行われる複合機１の動作について図３のフローチャートに従って説明する。なお、以下では、トナーセーブモードが有効または無効のいずれかに予め設定されているものとして説明を行う。
【００３５】
ユーザーが、電源スイッチ４０に対して電源投入操作を行うことにより、電源供給装置３０からの電源供給を受けて、コントローラ１４のＣＰＵ１４０が起動すると、図３の処理が開始される。処理を開始すると、起動したＣＰＵ１４０は、スキャナ部１１およびファクシミリ送受信部１２の各々に対して起動要求を出して、スキャナ部１１およびファクシミリ送受信部１２を起動させる（ステップＳ１００）。これにより、スキャナ部１１による原稿の読み取り機能、およびファクシミリ送受信部１２によるファクシミリ送信機能を有効にして、原稿の読み取り機能およびファクシミリ送信機能をユーザーが利用可能な状態とする。
【００３６】
次に、ＣＰＵ１４０は、トナーセーブモードが有効に設定されているか否かを判断する（ステップＳ１１０）。トナーセーブモードが有効に設定されていれば（ステップＳ１１０：Ｙｅｓ）、ＣＰＵ１４０は、プリンタユニット２０に対して待機状態とする要求を出し、この要求を受けるエンジン制御部２２を、プリントエンジン２１に対して濃度調整などの初期動作を行わせることなく待機させる（ステップＳ１２０）。すなわち、ここでは、プリンタユニット２０の起動時に行うべき濃度調整が行われないよう制御される。
【００３７】
次に、ＣＰＵ１４０は、印刷データを受信したか否かを判断する（ステップＳ１３０）。通信Ｉ／Ｆ１４３を介してホストコンピュータ２のプリンタドライバから印刷データを受信していなければ（ステップＳ１３０：Ｎｏ）、所定の時間経過後に再びステップＳ１３０の判断を行うことにより、印刷データの受信を待ち続ける。そして、印刷データを受信した場合（ステップＳ１３０：Ｙｅｓ）、ステップＳ１４０に進んで、ＣＰＵ１４０は、プリンタユニット２０を起動させる制御を行う（ステップＳ１４０）。ここでは、ＣＰＵ１４０は、印刷Ｉ／Ｆ１４４を介してエンジン制御部２２に対してプリンタユニット２０の起動要求を送信する。エンジン制御部２２はコントローラ１４からの指示に応じて定着ユニット２１７の加熱などの初期動作を行わせてプリントエンジン２１を起動させるとともに、露光ユニット２１２、現像ユニット２１３を制御して、プリントエンジン２１に濃度調整を実行させる。
【００３８】
具体的には、濃度調整としては、特許文献２に記載の調整手法と同様にして行う。すなわち、濃度調整を実行する際には、まず、エンジン制御部２２は、複数の異なる現像バイアス値で、それぞれ塗り潰しのパッチを作像するようプリントエンジン２１に指示する。この指示に応じてプリントエンジン２１が動作し、トナーカートリッジ２１８が感光体ドラム２１０に接近して、各現像バイアス値が現像ローラ２１８ｅに印加されることにより、各パッチのトナー像が形成される。その後、形成された各パッチのトナー像は、プリントエンジン２１内部に備わるセンサ（図示なし）によってその濃度が読み取られ、トナー像が本来あるべき目標濃度と、実際に読み取って得られた濃度との濃度差を解消または低減させるよう、現像バイアスを調整する。これにより、印刷濃度が適切な濃度に調整され、プリンタユニット２０が良好な濃度の画像を形成可能な状態となる。なお、濃度調整における調整手法としては、上述の現像バイアスに限られることなく、露光量などの他の条件を調整することにより濃度調整を行うようにしてもよい。
【００３９】
ステップＳ１４０においてプリンタユニット２０を起動させ、印刷機能をユーザーが利用可能な状態とすると、印刷機能を利用して行う複合機１のファクシミリ受信機能も有効な状態となって、図３の処理を終了する。
【００４０】
一方、ステップＳ１１０において、トナーセーブモードが無効に設定されていた場合は（ステップＳ１１０：Ｎｏ）、ＣＰＵ１４０は、プリンタユニット２０を起動させ、濃度調整を実行させる（ステップＳ１４０）。したがって、トナーセーブモードが無効に設定されている場合には、電源投入時に、スキャナ部１１、ファクシミリ送受信部１２、プリンタユニット２０が起動して、原稿の読み取り機能、ファクシミリ送受信機能、印刷機能がユーザーに利用可能な状態となって、図３の処理を終了する。
【００４１】
以上に述べたように、本実施例の複合機１は、トナーセーブモードが有効に設定されている場合、電源投入時にプリンタユニット２０は起動することなく、待機状態となって、印刷データを受信するとプリンタユニット２０が起動して濃度調整を行うようになっている。本実施例の複合機１によれば、以下の効果を得ることができる。
【００４２】
（１）トナーセーブモードが有効に設定されている場合、電源投入時に、プリンタユニット２０が待機状態となってトナー消費を伴う濃度調整が実行されないので、電源投入時におけるトナー消費を防ぐことができる。そして、電源が投入されてから印刷データを受信するまでについては、印刷機能が必要でないため濃度調整が行われることなく、印刷データを受信したときに、印刷機能が必要となるためプリンタユニット２０が起動される。したがって、プリント動作が必要でないときのトナー消費を抑制し、複合機１のランニングコストを抑えることができる。
【００４３】
（２）ユーザーが、トナーセーブモードを有効に設定した場合、印刷濃度を低下させることによりトナー消費量を低下させるトナーセーブモード本来の印刷制御に加えて、さらに、電源投入時のトナー消費が抑制される。このように、トナー消費を抑制しようとトナーセーブモードを有効に設定したユーザーの意図に沿って、トナー消費量の低減効果をさらに高めることができるので、トナーセーブモードの機能がさらに有用なものとなる。
【００４４】
（３）電源が投入されてから印刷データを受信するまでの間については、プリンタユニット２０は待機状態であって起動していないので、ユーザーがトナーカートリッジ２１８や感光体ドラム２１０を交換した場合であっても、濃度調整が行われない。したがって、トナーカートリッジ２１８または感光体ドラム２１０の交換時における濃度調整によるトナー消費を防ぐことができる。
【００４５】
（４）電源が投入されてから印刷データを受信するまでの間については、プリンタユニット２０が起動していないので、定着ユニットの加熱などに要する電力消費がなくなり、複合機１としての電力消費を低減することができる。
【００４６】
以上、実施の形態の一実施例について説明したが、これらの態様に限られることなく、以下の変形例としてもよい。
【００４７】
（変形例１）上記実施例では、複合機１の電源投入時にはプリンタユニット２０を待機させ、印刷データを受信したときにプリンタユニット２０を起動させるようにしたが、プリンタユニット２０を起動させるタイミングは、印刷機能が必要となるタイミングであれば、印刷データを受信するタイミングに限られない。例えば、原稿の複写を行う旨のユーザー指示があった場合、スキャナ部１１が読み取った画像データ（印刷データ）がコントローラ１４に入力されるときにプリンタユニット２０を起動させるようにしてもよい。また、印刷データを記憶したメモリカードなどの記録媒体が、複合機１に備わるメモリスロットにセットされ、記録媒体から印刷データを読み出すようにして印刷データが入力されるときに、プリンタユニット２０を起動させるようにしてもよい。
【００４８】
（変形例２）上記実施例におけるプリンタユニット２０の起動後に、トナーセーブモードが有効に設定されている場合は、コントローラ１４が、所定時間の間に印刷機能の利用があったか否かを判断して、印刷機能の利用がなかったと判断すると、いったん起動されたプリンタユニット２０を待機状態に戻すように制御してもよい。このようにすれば、プリンタユニット２０による電力消費をさらに抑制することができる。また、所定時間の間に印刷機能の利用がなかった後、トナーカートリッジ２１８や感光体ドラム２１０の交換時における濃度調整のトナー消費を抑制することができる。また、濃度調整を所定時間ごとに行う制御とした場合には、所定時間ごとに行われる濃度調整によるトナー消費を抑制することができる。
【００４９】
（変形例３）上記実施例では、印刷データの入力があった場合に、プリンタユニット２０を起動するようにしたが、印刷データの入力があることが確定したタイミングでプリンタユニット２０を起動するようにしてもよい。例えば、ホストコンピュータのプリンタドライバがユーザーからの印刷指示を受けて、印刷データを作成している間に、プリンタユニット２０を起動するようにしてもよい。また、原稿の複写を行う場合であれば、ユーザーにより原稿の複写が指示されると、スキャナ部１１による原稿の読取中または読取準備中など、スキャナ部１１から画像データの入力を受ける前にプリンタユニット２０を起動させるようにしてもよい。このようにすれば、印刷機能が必要となったときに起動するプリンタユニット２０が、濃度調整を行って、良好な画像を形成可能な状態となるまでに要する待機時間を短縮することができる。
【００５０】
（変形例４）上記実施例では、印刷機能、原稿読取機能、ファクシミリ送受信機能を備える複合機を例にして説明したが、画像形成装置としては、印刷機能および原稿読取機能を有し、ファクシミリ送受信機能を有していない複写機であってもよいし、印刷機能を有し、原稿読取機能およびファクシミリ送受信機能を有していないプリンタであってもよい。
【図面の簡単な説明】
【００５１】
【図１】複合機の構成を示したブロック図。
【図２】プリントエンジンの構成を示した図。
【図３】電源投入時に行われる複合機の動作手順を示したフローチャート。
【符号の説明】
【００５２】
１…画像形成装置としての複合機、１０…スキャナユニット、１１…読取部としてのスキャナ部、１２…ファクシミリ送受信部、１３…操作パネル、１４…制御部としてのコントローラ、２０…画像形成部としてのプリンタユニット、２１…プリントエンジン、２２…エンジン制御部、３０…電源供給装置、４０…電源操作部としての電源スイッチ、１４０…ＣＰＵ、１４１…ＲＯＭ、１４２…ＲＡＭ、１４３…入力部としての通信Ｉ／Ｆ、１４４…印刷Ｉ／Ｆ、１４５…内部Ｉ／Ｆ、２１０…感光体ドラム、２１１…帯電ユニット、２１２…露光ユニット、２１３…現像ユニット、２１４…一次転写ユニット、２１５…中間転写体、２１６…二次転写ユニット、２１７…定着ユニット、２１８…トナーカートリッジ。
【図１】
2009163087.tif 000003
【図２】
2009163087.tif 000004
【図３】
2009163087.tif 000005